(57)【要約】【課題】  複数種の物品を仕分けして収納することができ、しかも複数種の物品の配置を自由に変更することができる収納ケースを提供する。【解決手段】本発明の収納ケースは、６面のうちの一つが開口する直方体状の外箱と、前記外箱の内部空間に収容される複数の直方体状の内箱であって６面のうちの一つが開口する内箱とを備え、前記外箱の開口を上にしたときの該外箱の内部空間の高さをＨ、該内部空間の底面の横及び縦の長さをそれぞれＬ及びＭとしたとき（ただし、Ｈ、Ｌ、Ｍは正の整数）、Ｍ＝ｎ×Ｈ（ただし、ｎは自然数）であり、前記内箱の開口を上にしたときの該内箱の底面の横の長さがＬ、縦の長さがＭであり、且つ、複数の内箱の高さの合計がＭであることを特徴とする。【選択図】図１
2015139670.tif 000002
【特許請求の範囲】
【請求項１】
６面のうちの一つが開口する直方体状の外箱と、前記外箱の内部空間に収容される複数の直方体状の内箱であって６面のうちの一つが開口する内箱とを備える収納ケースにおいて、
前記外箱の開口を上にしたときの該外箱の内部空間の高さをＨ、該内部空間の底面の横及び縦の長さをそれぞれＬ及びＭとしたとき（ただし、Ｈ、Ｌ、Ｍは正の整数）、
Ｍ＝ｎ×Ｈ  （ただし、ｎは自然数）であり、
前記内箱の開口を上にしたときの該内箱の底面の横の長さがＬ、縦の長さがＨであり、且つ、複数の内箱の高さの合計がＭであることを特徴とする収納ケース。
【請求項２】
６面のうちの一つが開口する直方体状の外箱と、前記外箱の内部空間に収容される複数の直方体状の内箱であって６面のうちの一つが開口する内箱とを備える収納ケースにおいて、
前記外箱の開口を上にしたときの該外箱の内部空間の高さをＨ、該内部空間の底面の横及び縦の長さをＬ及びＭとしたとき（ただし、Ｈ、Ｌ、Ｍは正の整数）、
Ｍ＝ｎ１×Ｈ、Ｌ＝ｎ２×Ｍであり（ただし、ｎ１、ｎ２は自然数）、
前記内箱の開口を上にしたときの該内箱の底面の横の長さがＭ、縦の長さがＨであり、且つ、複数の内箱の高さの合計がＬであることを特徴とする収納ケース。
【請求項３】
前記内箱の一部又は全部が、複数の小箱の組み合わせから構成されていることを特徴とする請求項１又は２に記載の収納ケース。
【請求項４】
前記内箱を前記外箱の内部空間に保持するための保持手段を備ることを特徴とする請求項１〜３のいずれかに記載の収納ケース。
【発明の詳細な説明】
【技術分野】
【０００１】
本発明は、様々な物品を収納するためのケースに関し、特には、ビーズ手芸に用いられる物品の収納に好適な収納ケースに関する。
【背景技術】
【０００２】
ビーズはガラスやプラスチック、天然石、貝殻などの素材を球状や円筒状に加工した孔の開いた玉から成り、古くから衣服や鞄等を装飾する刺繍やアクセサリーの材料として用いられてきた。手芸品店や専門の販売店において様々な種類のビーズが販売されており、手に入りやすいことから、ビーズ刺繍やビーズアクセサリー作り（以下「ビーズ手芸」ともいう）を趣味にする人は多い。
【０００３】
ビーズ手芸には、ビーズの他にビーズを繋ぐ紐（テグス、糸、革紐等）や金具等（以下、これらを「ビーズ材料」という）、ビーズ手芸に用いるペンチや目打ち、ピンセット等の工具や道具（以下「工具類」という）、及び作業台が用いられる。ビーズ手芸を趣味とする人は、作製中のビーズ刺繍やアクセサリーの材料以外にも多数のビーズ材料を保持していることが多く、これらのビーズ材料をケースに入れて工具類、作業用トレーと共に保管している。
【０００４】
従来より、ビーズ材料の保管ケースとして、円筒状のプラスチックケースが用いられている。異なる種類のビーズ材料が混ざらないように、１つのケースには１種類のビーズ材料が収容されるようになっている。また、ケースは互いに連結できる構造を有しており、複数のケースを一つにまとめることができる。
【０００５】
これに対して、ビーズ材料だけでなく、工具類や作業用トレーもまとめて保管することができるケースが提供されている（特許文献１）。このケースは、作業用トレー、工具及び道具類を収納するための工具箱、ビーズ材料を入れるための複数の小トレーを備えたビーズ収納箱、ビーズ材料が入れられた小袋を並べて収納するためのビーズ整理箱から構成されている。作業用トレー及び３種類の箱はいずれも縦横の長さが同じになるように設計されている。また、作業用トレー、工具箱、ビーズ収納箱、及びビーズ整理箱の下端部には、それぞれ他の箱の上端部に嵌合する構造が設けられている。このような構成により、作業用トレーと３種類の箱を積層して１つの大きなケースにまとめることができる。
【先行技術文献】
【特許文献】
【０００６】
【特許文献１】特開2011-156303号公報（図１、図２）
【発明の概要】
【発明が解決しようとする課題】
【０００７】
上記ケースは、作業用トレーと３種類の箱をまとめて保管することができる反面、ビーズ手芸を行うために工具類とビーズ材料を取り出す際は、一旦、作業用トレーと３種類の箱の全てを取り外してバラバラにしなければならない。また、工具箱及びビーズ整理箱は、それぞれ工具類、ビーズ材料の収納に適した構造に作られており、工具類をビーズ整理箱に収納したりビーズ材料を工具箱に収納したりすることは想定されていない。そのため、例えば使用中の工具類とビーズ材料の両方を一つの箱にまとめて収納したり、使用頻度の高い工具類とその他の工具類を別の箱に入れたりすることができない。
【０００８】
このような問題はビーズ材料等を仕分けして収納するケースだけでなく、例えば宝石類や化粧品を仕分けして収納するケースや、金槌やドライバー等の工具等を入れる工具箱等、様々な物品を仕分けして収納するケースにおいても発生する。
【０００９】
本発明が解決しようとする課題は、複数種の物品を仕分けして収納することができ、しかも複数種の物品の配置を自由に変更することができる収納ケースを提供することである。
【課題を解決するための手段】
【００１０】
上記課題を解決するために成された本発明の第１の態様に係る収納ケースは、
６面のうちの一つが開口する直方体状の外箱と、前記外箱の内部空間に収容される複数の直方体状の内箱であって６面のうちの一つが開口する内箱とを備える収納ケースにおいて、
前記外箱の開口を上にしたときの該外箱の内部空間の高さをＨ、該内部空間の底面の横及び縦の長さをそれぞれＬ及びＭとしたとき（ただし、Ｈ、Ｌ、Ｍは正の整数）、
Ｍ＝ｎ×Ｈ  （ただし、ｎは自然数）であり、
前記内箱の開口を上にしたときの該内箱の底面の横の長さがＬ、縦の長さがＨであり、且つ、複数の内箱の高さの合計がＭであることを特徴とする。
【００１１】
また、上記課題を解決するために成された本発明の第２の態様に係る収納ケースは、
６面のうちの一つが開口する直方体状の外箱と、前記外箱の内部空間に収容される複数の直方体状の内箱であって６面のうちの一つが開口する内箱とを備える収納ケースにおいて、
前記外箱の開口を上にしたときの該外箱の内部空間の高さをＨ、該内部空間の底面の横及び縦の長さをＬ及びＭとしたとき（ただし、Ｈ、Ｌ、Ｍは正の整数）、
Ｍ＝ｎ１×Ｈ、Ｌ＝ｎ２×Ｍであり（ただし、ｎ１、ｎ２は自然数）、
前記内箱の開口を上にしたときの該内箱の底面の横の長さがＭ、縦の長さがＨであり、且つ、複数の内箱の高さの合計がＬであることを特徴とする。
【００１２】
本発明の収納ケースは、内箱の縦の長さを外箱の内部空間の高さＨと同じにし、且つ、外箱の内部空間の各部の長さ、及び内箱の各部の長さを上記した関係に設定したため、外箱の開口が上面又は前面のいずれに位置するように該外箱を配置した場合でも、外箱の内部空間に内箱を開口が上面が位置する状態で整然と並べて収容することができる。特に、第２態様の収容ケースでは、外箱の開口を前面に配置する場合に縦、横のいずれを上にしても内部空間に内箱を整然と並べて収容することができる。
【００１３】
上記した第１及び第２の態様の収納ケースにおいては、前記内箱の一部又は全部を複数の小箱の組み合わせから構成することができる。また、前記内箱を前記外箱の内部空間に保持するための保持手段を備ることが好ましい。
このような構成によれば、収納ケースを持ち運んだり、収納ケースが倒れたりしても、外箱の内部空間に収容されている内箱の位置がずれて該内箱内の物品がこぼれ落ちることを防止できる。
前記保持手段は、外箱及び内箱の一方を金属製にし、他方に磁石を取り付ける構成、あるいは、外箱及び内箱の両方に磁石を取り付けることにより、金属と磁石、あるいは磁石同士の磁気吸引力を利用した構成により実現することができる。また、外箱の内面及び内箱の外面の一方に取り付けた面ファスナーのフック面、及び他方に取り付けたループ面から保持手段を構成しても良い。
【発明の効果】
【００１４】
本発明によれば、外箱の開口を上にした状態、前にした状態のいずれであっても内部空間に複数の内箱を様々な配置で収容することができ、しかも収納ケースを置く場所や、収納ケースの使用目的に応じて内箱の配置を適宜変更することができるため、作業性やインテリア性に優れた収納ケースとすることができる。
具体的には、外箱の開口を上にすれば、一般的なビーズケースや工具ケースと同様の形態となり、内箱に収納されている物品を取り出しやすくすることができる。一方、外箱の開口を前にすれば、内箱を引出のようになり、収納ケースを引出箪笥のように使用することができる。
【図面の簡単な説明】
【００１５】
【図１】本発明の第１実施形態に係る収納ケースを概略的に示す図であり、（ａ）は外箱、（ｂ）は内箱、（ｃ）は外箱の開口を上にしたときの上面図、（ｄ）は（ｂ）のｄ−ｄ線に沿う断面側面図、（ｅ）は外箱の開口を前にしたときの正面図、（ｆ）は下段に１個の内箱を上段に２個の内箱を配置した別の形態を示す断面側面図。
【図２】本発明の第２実施形態に係る収納ケースを概略的に示す図であり、（ａ）は外箱、（ｂ）は内箱、（ｃ）は外箱の開口を上にしたときの上面図、（ｄ）は（ｂ）のｄ−ｄ線に沿う断面側面図、（ｅ）は（ｂ）のｅ−ｅ線に沿う断面側面図、（ｆ）は外箱の開口を前にしたときの正面図、（ｇ）は上から２段目に３個の内箱を配置し、残りの段にはそれぞれ１個の内箱を配置した別の形態を示す断面側面図。
【図３】本発明の第３実施形態に係る収納ケースを概略的に示す図であり、（ａ）は外箱、（ｂ）は内箱、（ｃ）は外箱の開口を上にしたときの上面図、（ｄ）は（ｂ）のｄ−ｄ線に沿う断面側面図、（ｅ）は（ｂ）のｅ−ｅ線に沿う断面側面図、（ｆ）は外箱の開口を前にし、横を上にしたときの正面図、（ｇ）は外箱の開口を前にし、縦を上にしたときの正面図。
【図４】本発明の第４実施形態に係る収納ケースを概略的に示す図であり、（ａ）は外箱、（ｂ）は内箱、（ｃ）は外箱の開口を上にしたときの上面図、（ｄ）は（ｂ）のｄ−ｄ線に沿う断面側面図、（ｅ）は外箱の開口を前に、横を上にしたときの正面図、（ｆ）は外箱の開口を前にし、縦を上にしたときの正面図。
【図５】本発明をビーズケースに適用した具体的な実施例を示す図であり、（ａ）は蓋を取り外した状態のビーズケースの斜視図、（ｂ）は作業台を上にした状態で示す蓋の平面図、（ｃ）は蓋を取り外した状態で示す開口を前にした状態のビーズケースの斜視図。
【図６】ビーズケースの断面側面図。
【発明を実施するための形態】
【００１６】
図１〜図４を参照して本発明の様々な実施形態について説明する。なお、本発明の収納ケースは紙製、木製、金属製、プラスチック製等、様々な材料を用いて製造することができる。
図１は、外箱Ａの内部空間に２個の内箱Ｂ１、Ｂ２を収容してなる第１実施形態の収納ケースを概念的に示す図である。図１（ａ）に示すように、外箱Ａの開口部１を上にしたときの内部空間の高さをＨ、横、縦の長さをそれぞれＬ、Ｍとすると、Ｈ＝Ｍに設定されている。
一方、内箱Ｂ１、Ｂ２はいずれも外箱Ａより扁平な直方体状の箱であり、図１（ｂ）に示すように、内箱Ｂ１、Ｂ２は、いずれも、開口部２を上にしたときの横及び縦の長さが外箱Ａの横、縦の長さ寸法Ｌ、Ｍと同じ、又はＬ、Ｍよりもやや小さく設定されている。また、内箱Ｂ１の高さ寸法をｈ１、内箱Ｂ２の高さ寸法をｈ２とすると、ｈ１＋ｈ２＝Ｈに設定されている。
【００１７】
図１の（ｃ）及び（ｄ）は、開口１が上に位置するように外箱Ａを配置した状態で内箱Ｂ１、Ｂ２を外箱Ａの内部空間に収容した様子を示しており、（ｃ）は上面図、（ｄ）は側面図である。このように、内箱Ｂ１と内箱Ｂ２は、いずれも開口２を上にし、積層した状態で外箱Ａ内に収容される。
【００１８】
一方、図１の（ｅ）は、開口１が前に位置するように外箱Ａを配置した状態で内箱Ｂ１、Ｂ２を外箱Ａの内部空間に収容した様子を示す正面図である。この場合も内箱Ｂ１、Ｂ２は開口２を上にし、積層した状態で外箱Ａ内に収容される。なお、図１（ｄ）、（ｅ）では内箱Ｂ１を上、内箱Ｂ２を下に配置しているが、内箱Ｂ１、Ｂ２の積層順は逆でも良い。
また、外箱Ａの下段と上段に配置する内箱の個数が異なっていても良い。例えば、図１（ｆ）は、外箱Ａ内の下段に１個の内箱Ｂ２を配置し、上段に２個の内箱Ｂ１ａ、Ｂ１ｂを配置した例を示す。この場合、内箱Ｂ１ａ、Ｂ１ｂが本発明の「小箱」に相当する。
【００１９】
図２は、外箱Ａの内部空間に４個の内箱Ｂ１〜Ｂ４を収容してなる第２実施形態の収納ケースを示す。この実施形態では、外箱Ａの内部空間の高さをＨ、横、縦の長さをそれぞれＬ、Ｍとすると、高さＨは、縦の長さＭの２分の１に設定されている（図２（ａ）参照）。また、内箱Ｂ１〜Ｂ４はいずれも縦の長さが外箱Ａの内部空間の高さ、つまり縦の長さＭの２分の１と同じに、横の長さを外箱Ａの内部空間の横の長さＬと同じに、設定されている。また、内箱Ｂ１〜Ｂ４の高さをそれぞれｈ１〜ｈ４とすると、ｈ１＋ｈ２＝ｈ３＋ｈ４＝Ｈに設定されている。
この実施形態では、開口１が上に位置するように外箱Ａを配置したとき、内箱Ｂ１及びＢ２、内箱Ｂ３及びＢ４をそれぞれ上下に積層し、且つ、これらを横２列に並べた状態で内部空間に収容されるようになっている（図２の（ｃ）〜（ｅ））。なお、内箱Ｂ１と内箱Ｂ２、内箱Ｂ３と内箱Ｂ４の積層順、及び内箱Ｂ１、Ｂ２と内箱Ｂ３、Ｂ４の横２列の順は逆にすることができる。
【００２０】
一方、図２（ｆ）は、開口１が前に位置するように外箱Ａを配置した状態で内箱Ｂ１〜Ｂ４を外箱Ａの内部空間に収容した様子を示す正面図である。内箱Ｂ１〜Ｂ４の高さｈ１〜ｈ４の和をＨに、縦の長さを内部空間の高さを同じに設定したため、外箱Ａ内に４個の内箱Ｂ１〜Ｂ４を積層して整然と収容することができる。なお、この場合も内箱Ｂ１〜Ｂ４の積層順は変更可能である。さらに、内箱Ｂ１〜Ｂ４の一部を複数の内箱から構成しても良い。例えば図２（ｆ）は、内箱Ｂ３を底面積の異なる３個の内箱Ｂ３ａ〜Ｂ３ｃから構成した例を示す。
【００２１】
図３は、外箱Ａの内部空間に７個の内箱Ｂ１〜Ｂ７を収容してなる第３実施形態の収納ケースを示す。この実施形態では、外箱Ａの内部空間の高さＨは縦の長さＭの２分の１に、及び縦の長さＭは横の長さＬの２分の１に設定されている。また、内箱Ｂ１〜Ｂ７の横の長さは外箱Ａの内部区間の横の長さＬの２分の１に、縦の長さは外箱Ａの内部空間の高さＨ、つまり、縦の長さＭの２分の１に設定されている。
【００２２】
一方、内箱Ｂ１〜Ｂ７の高さｈ１〜ｈ７は種々の長さに設定されており、例えば内箱Ｂ１及びＢ７の高さ寸法Ｈｂ１は外箱の高さ寸法Ｈと同じに設定されている。また、内箱Ｂ２、Ｂ３の高さ寸法Ｈｂ２，Ｈｂ３は、Ｈｂ２＋Ｈｂ３＝Ｈに、内箱Ｂ４〜Ｂ６の高さ寸法Ｈｂ４〜Ｈｂ６は、Ｈｂ４＋Ｈｂ５＋Ｈｂ６＝Ｈに設定されている。
内箱Ｂ１〜Ｂ７がこのような大きさに設定されていることにより、開口１が上に位置するように外箱Ａを配置したとき、７個の内箱Ｂ１〜Ｂ７は、図３（ｃ）〜（ｅ）に示すように外箱Ａ内に収容することができる。また、開口１が前にくるように外箱Ａを配置したとき、図３の（ｆ）又は（ｇ）に示す形態で内箱Ｂ１〜Ｂ７を収容することができる。
なお、この実施例においても、内箱Ｂ１〜Ｂ７の一部を複数の内箱に変更することが可能である。
【００２３】
図４は、外箱Ａの内部空間に立方体状の６個の内箱Ｂ１〜Ｂ６を収容して成る第４実施形態の収納ケースを示す。この実施形態では、外箱Ａの高さ寸法Ｈは、縦の長さＭの２分の１で、且つ、横の長さＬの３分の１に設定されている。また、内箱Ｂ１〜Ｂ６の一辺の長さｈは外箱Ａの内部空間の高さＨと同じに設定されている（図４の（ａ）、（ｂ）参照）。
【００２４】
外箱Ａ及び内箱Ｂ１〜Ｂ６の各部の長さが上記のように設定されているため、外箱Ａの開口１を上にしたときは、内箱Ｂ１〜Ｂ６を横２列、縦３列に並べて配置することができ、且つ、内箱Ｂ１〜Ｂ６の位置を適宜変更することができる（図４（ｃ）、（ｄ）参照）。また、開口１を前にし且つ、横を上にしたときは図４（ｅ）に示すような形態で、開口１を前にし且つ縦を上にしたときは図４（ｆ）に示すような形態で、内箱Ｂ１〜Ｂ６を外箱Ａの内部空間に収容することができ、しかも、内箱Ｂ１〜Ｂ６の配置を適宜変更することができる。
【００２５】
なお、図１〜図４では１個の外箱と複数の内箱のみから収納ケースを構成したが、外箱及び内箱のそれぞれに蓋を設けても良く、外箱のみ、或いは内箱のみに蓋を設けても良い。また、蓋は外箱及び内箱と別体に構成しても良く、外箱や内箱にヒンジなどで連結しても良い。
さらに、外箱に収容する内箱の数や大きさは、上記した例に限らず、適宜変更することができる。
【実施例】
【００２６】
次に、本発明の収納ケースをビーズ手芸に必要な物品を収納するためのケース（ビーズケース）に適用した具体的な実施例について図５及び図６を用いて説明する。なお、ここではビーズケースを例に挙げて説明するが、本発明に係る収納ケースは、金槌やペンチなどの工具類を収納する工具ケース、宝石類を収納するケース、化粧品を収納するコスメティックケースや、菓子類を入れる化粧箱等、様々な物品の収納ケースに適用することができる。
【００２７】
図５に示すように、本実施例に係るビーズケースは、外箱１２及びその内部空間に収容される４個の内箱１４ａ〜１４ｄから成るケース本体１０と、外箱１２の開口を塞ぐ蓋１６とから構成されている。蓋１６はビーズ手芸の作業用トレーを兼用しており、外箱１２の開口を塞いだときに外箱１２内に位置する面にはビーズを仮置きするための幅広の溝２２と、ビーズを並べて置くための幅狭の溝２４と、ビーズを紐に通したり金具を取り付けたりする作業をするための作業スペース２６とからなる作業台２０が形成されている。作業台２０の周りにはビーズがこぼれ落ちることを防止するための壁部２８が形成されており、蓋１６を外箱１２の上に置いたときに、壁部２８が開口に嵌り込むようになっている。
【００２８】
４個の内箱１４ａ〜１４ｄは、浅皿状のタイプ（内箱１４ａ、１４ｂ）と深皿状のタイプ（内箱１４ｃ、１４ｄ）の２種類から成り、いずれも外箱１２の内部空間の横の長さと同じ横の長さに設計されている。また、内箱１４ａ〜１４ｄの縦の長さは外箱１２の内部空間の縦の長さの半分で、且つ、外箱１２の内部空間の高さと同じに設計されている。また、浅皿状の内箱１４ａ、１４ｂ同士、及び深皿状の内箱１４ｃ、１４ｄ同士はいずれも同じ高さであり、且つ、浅皿状の内箱１４ａ、１４ｂと及び深皿状の内箱１４ｃ、１４ｄを１個ずつ積層したときの高さは外箱１２の内部空間の高さと等しく、４個の内箱１４ａ〜１４ｄを積層したときの高さは外箱１２の内部空間の縦の長さと等しく設計されている。このように、深さの異なる２種類の内箱を用意したことにより、使用頻度や作業の内容に応じて内箱に入れる工具類やビーズ材料を変更することができる。例えば、使用頻度の高い工具類や作製中のアクセサリーの材料を浅皿状の内箱１４ａ、１４ｂに収納し、その他の工具類やビーズ材料を深皿状の内箱１４ｃ、１４ｄに収納すると共に、浅皿状の内箱１４ａ、１４ｂを上段に配置すれば、使用頻度の高い工具類等をビーズケースから取り出しやすくなる。
また、浅皿状の内箱１４ａ、１４ｂの高さを作業台２０の高さと同じに設定すれば、ビーズ手芸の作業中の左右の手を置く調整台として利用することができる。
【００２９】
このような構成により、外箱１２を開口を上にして配置したとき、外箱１２の内部空間には浅皿状の内箱１４ａ、１４ｂと深皿状の内箱１４ｃ、１４ｄを上下に積層したものを一組とし、これらを並べた状態で収容することができる。このとき、浅皿状の内箱１４ａ、１４ｂと、深皿状の内箱１４ｃ、１４ｄはどちらを上にしても良く、一方の組では浅皿状の内箱を上に、他方の組では深皿状の内箱を上にしても良く、いずれにしても外箱１２の内部空間に４個の内箱１４ａ〜１４ｄを整然と収容することができる（図５の（ａ）参照）。
【００３０】
また、外箱１２の開口を前にして配置したとき、４個の内箱１４ａ〜１４ｄを積層した状態で外箱１２の内部空間に整然と収容することができ、また、引出箪笥のようになる（図５の（ｃ）参照）。
【００３１】
さらに、本実施例では、外箱１２の上部及び蓋１６の周辺部の下面には、それぞれ４個の円形状の磁石３０が埋め込まれている。４個の磁石３０は、例えば内箱１４ａ〜１４ｄを外箱１２に収容したときにその短辺の近傍に配置されている。このような構成により、外箱１２の上に蓋１６を配置したとき、磁石３０同士の磁気吸引力により蓋１６を外箱１２の上に固定することができる。
【００３２】
さらにまた、本実施例では、外箱１２の内周面には金属製のシート３１が貼り付けられている。一方、図６に示すように、内箱１４ａ〜１４ｄの側部の外周面にはそれぞれシート状のプラスチック磁石３２が貼り付けられている。シート３１及びプラスチック磁石３２は本発明の保持手段を構成するもので、このような構成により、外箱１２内に収容された内箱１４ａ〜１４ｄは磁気吸引力により該外箱１２の内周面に吸着して動き難くなるため、ビーズケースを持ち運ぶ際に内箱１４ａ〜１４ｄが外箱１２から分離してしまうことを防止できる。
【００３３】
なお、本発明は上記した実施例に限らず、本発明の趣旨を逸脱しない限り変更が可能である。例えば、外箱１２及び蓋１６に埋め込んだ円形状の磁石３０に代えて、シート状の磁石を外箱１２の上端面及び蓋１６の下面に貼り付けても良い。また、上記実施例では、外箱１２に内箱１４ａ〜１４ｄを保持させるための保持手段（シート３１，プラスチック磁石３２）を取り付けたが、これらは省略しても良い。
蓋の上面にも外箱の開口に嵌るような凸部を形成しても良い。このような構成によれば、作業台を上にして外箱の開口に載せたときに蓋が外箱の開口に嵌合するため、蓋が外箱からずれ動くことを防止できる。
また、外箱の内周面にシート状のプラスチック磁石を、内箱の側部の外周面に金属製のシートを貼り付けても良い。さらに、外箱の内周面と内箱の側部の外周面の両方にシート状のプラスチック磁石を貼り付けても良い。
さらにまた、磁石と金属の組み合わせ、磁石同士の組み合わせに代えて面ファスナーから保持手段を構成しても良い。
【符号の説明】
【００３４】
１…外箱の開口
２…内箱の開口
１２…外箱
１４ａ〜１４ｄ…内箱
３０…磁石
３１…金属製のシート（保持手段）
３２…シート状のプラスチック磁石（保持手段）
Ａ…外箱
Ｂ１〜Ｂ７…内箱
Ｈ…外箱の内部空間の高さ
Ｌ…外箱の内部空間の横の長さ
Ｍ…外箱の内部空間の縦の長さ
【図１】
2015139670.tif 000003
【図２】
2015139670.tif 000004
【図３】
2015139670.tif 000005
【図４】
2015139670.tif 000006
【図５】
2015139670.tif 000007
【図６】
2015139670.tif 000008